(57)【要約】【課題】ユーザが表面印刷済の用紙を再給紙して両面印刷を行なう印刷装置において、大量の両面印刷を行なう場合のユーザの負担を軽減する。【解決手段】ページ単位で複数部数の両面印刷を行なう指示を受け付けるページ単位両面印刷ジョブ受付手段と、表面印刷時に、各ページを順次処理対象とし、表面のページであればサムネイル画像を生成して記憶手段に記憶するとともに印刷を部数分繰り返し行ない、裏面のページであれば印刷データを記憶手段に記憶し、裏面印刷時に、各裏面ページを順次処理対象とし、記憶した処理対象の裏面ページの印刷を部数分繰り返し行なうとともに、各裏面ページの印刷開始時および裏面印刷途中で用紙切れが発生した場合に、処理対象である裏面ページに対応する表面ページのサムネイル画像と表面印刷済の用紙の排紙台への載置方向を示す情報とを表示手段に表示する両面印刷制御手段とを備える印刷装置。【選択図】  図１
2009248375.tif 000002
【特許請求の範囲】
【請求項１】
表面印刷済の用紙を排紙口から排紙し、給紙台から再給紙した用紙に裏面印刷することで両面印刷を行なう印刷装置であって、
記憶手段と、
表示手段と、
印刷データとともに、ページ単位で複数部数の両面印刷を行なう指示を受け付けるページ単位両面印刷ジョブ受付手段と、
表面印刷時に、各ページを順次処理対象とし、表面のページであれば対応する印刷データのサムネイル画像を生成して前記記憶手段に記憶するとともに前記印刷データに基づく印刷を部数分繰り返し行ない、裏面のページであれば対応する印刷データを前記記憶手段に記憶し、
裏面印刷時に、各裏面ページを順次処理対象とし、前記記憶した処理対象の裏面ページの印刷データに基づく印刷を部数分繰り返し行なうとともに、各裏面ページの印刷開始時および裏面印刷途中で用紙切れが発生した場合、あるいは、用紙毎に、処理対象である裏面ページに対応する表面ページのサムネイル画像と表面印刷済の用紙の前記排紙台への載置方向を示す情報とを前記表示手段に表示する両面印刷制御手段とを備えることを特徴とする印刷装置。
【請求項２】
請求項１に記載の印刷装置であって、
前記両面印刷制御手段は、表面印刷時に、処理対象の表面ページの印刷を部数分印刷すると、処理対象の表面ページの印刷が終了した旨の情報を前記表示手段に表示することを特徴とする印刷装置。
【請求項３】
表面印刷済の用紙を排紙口から排紙し、給紙台から再給紙した用紙に裏面印刷することで両面印刷を行なう印刷装置であって、
記憶手段と、
表示手段と、
印刷データとともに、部数単位で複数部数の両面印刷を行なう指示を受け付けるページ単位両面印刷ジョブ受付手段と、
表面印刷時に、各ページを順次処理対象とし、表面のページであれば対応する印刷データのサムネイル画像を生成して前記記憶手段に記憶するとともに前記印刷データに基づく印刷を行ない、裏面のページであれば対応する印刷データを前記記憶手段に記憶する処理を部数分繰り返し、
裏面印刷時に、各裏面ページを順次処理対象とし、前記記憶した処理対象の裏面ページの印刷データに基づく印刷する処理を各裏面ページ分繰り返す処理を部数分繰り返すとともに、各部の裏面印刷開始時および裏面印刷途中で用紙切れが発生した場合、あるいは、用紙毎に、処理対象である裏面ページに対応する表面ページのサムネイル画像と表面印刷済の用紙の前記排紙台への載置方向を示す情報を前記表示手段に表示する両面印刷制御手段とを備えることを特徴とする印刷装置。
【請求項４】
請求項３に記載の印刷装置であって、
前記両面印刷制御手段は、表面印刷時に、処理対象の表面ページの印刷を１部数分印刷すると、１部数分の印刷が終了した旨を前記表示手段に表示することを特徴とする印刷装置。
【請求項５】
請求項１から４のいずれか１項に記載の印刷装置であって、
前記排紙口は、印刷済面を上にして排紙するフェイスアップ排紙口と、印刷済面を下にして排紙するフェイスダウン排紙口とが備えられていて、
前記両面印刷制御手段は、前記排紙台から給紙された印刷用紙の下面に印刷が施される場合には前記フェイスアップ排紙口から表面印刷済の用紙の排紙を行ない、前記排紙台から給紙された印刷用紙の上面に印刷が施される場合には前記フェイスダウン排紙口から表面印刷済の用紙の排紙を行なうようにすることを特徴とする印刷装置。
【請求項６】
請求項１から５のいずれか１項に記載の印刷装置であって、
前記表示手段に表示する前記表面印刷済の用紙の前記排紙台への載置方向を示す情報は、前記表面ページのサムネイル画像および前記排紙台を示す画像の対応する位置に所定のマークが付されたものであることを特徴とする印刷装置。
【請求項７】
請求項１から６のいずれか１項に記載の印刷装置であって、
前記両面印刷制御手段は、前記排紙台から給紙された印刷用紙の上面に印刷が施される場合には前記表面ページのサムネイル画像を左右反転して前記表示手段に表示することを特徴とする印刷装置。
【請求項８】
請求項１から７のいずれか１項に記載の印刷装置であって、
前記裏面印刷は、前記表面印刷とは別個の新たな裏面印刷指示に基づいて開始することを特徴とする印刷装置。
【発明の詳細な説明】
【技術分野】
【０００１】
本発明は、印刷装置に係り、特に、両面印刷ユニットを持たず、ユーザが表面印刷済の用紙を再給紙して両面印刷を行なう印刷装置に関する。
【背景技術】
【０００２】
自動的に用紙の表裏を反転させて再給紙する両面印刷ユニットを持たない印刷装置で両面印刷を行なう場合には、ユーザが表面印刷済の用紙を再給紙して裏面の印刷を行なう必要がある。裏面の印刷時には、印刷済の表面との上下左右方向を整合させるため、また、表面に再印刷してしまわないようにするために、ユーザは再給紙の際の用紙の向きを考慮しなければならない。
【０００３】
このユーザの負担を軽減させるために、特許文献１には、再給紙の際の用紙の向きを表示パネルにアイコンで表示して、ユーザに知らせる技術が記載されている。ここで、表示パネルに表示されるアイコンは、例えば、「Ｒ」の文字が記された印刷用紙を模したものであり、「Ｒ」の文字を回転させて表示したり、左右反転させて表示したりすることで再給紙の差の用紙の向きを示している。
【特許文献１】特開平１１−２０２７２号公報
【発明の開示】
【発明が解決しようとする課題】
【０００４】
ところで、再給紙の際に印刷用紙をセットする給紙台は、一般に最大積載量が定められており、最大積載量を超えて印刷用紙をセットすることができない。このため、最大積載量を超えた大量の枚数の両面印刷を行なう場合には、複数回に分けて再給紙を行なわなければならない。
【０００５】
複数回に分けて再給紙を行なう場合には、ユーザは、その都度印刷用紙の方向を確認しなければならないのに加えて、裏面印刷の途中で給紙するため、どの表面印刷済の用紙を給紙するかを判断しなければならない。特許文献１に記載された技術は、最大積載量を超えた大量の枚数の両面印刷を行なう場合は考慮されておらず、このようなユーザの負担を軽減することはできない。
【０００６】
本発明はこのような状況を鑑みてなされたものであり、ユーザが表面印刷済の用紙を再給紙して両面印刷を行なう印刷装置において、大量の両面印刷を行なう場合のユーザの負担を軽減する技術を提供することを目的とする。
【課題を解決するための手段】
【０００７】
上記課題を解決するため、本発明の第１の態様である印刷装置は、表面印刷済の用紙を排紙口から排紙し、給紙台から再給紙した用紙に裏面印刷することで両面印刷を行なう印刷装置であって、記憶手段と、表示手段と、印刷データとともに、ページ単位で複数部数の両面印刷を行なう指示を受け付けるページ単位両面印刷ジョブ受付手段と、表面印刷時に、各ページを順次処理対象とし、表面のページであれば対応する印刷データのサムネイル画像を生成して前記記憶手段に記憶するとともに前記印刷データに基づく印刷を部数分繰り返し行ない、裏面のページであれば対応する印刷データを前記記憶手段に記憶し、裏面印刷時に、各裏面ページを順次処理対象とし、前記記憶した処理対象の裏面ページの印刷データに基づく印刷を部数分繰り返し行なうとともに、各裏面ページの印刷開始時および裏面印刷途中で用紙切れが発生した場合、あるいは、用紙毎に、処理対象である裏面ページに対応する表面ページのサムネイル画像と表面印刷済の用紙の前記排紙台への載置方向を示す情報とを前記表示手段に表示する両面印刷制御手段とを備えることを特徴とする。
【０００８】
本発明によれば、各裏面ページの印刷開始時および裏面印刷途中で用紙切れが発生した場合に、処理対象である裏面ページに対応する表面ページのサムネイル画像と表面印刷済の用紙の前記排紙台への載置方向を示す情報とを前記表示手段に表示するため、ユーザは表面印刷済の用紙を給紙する際に常に用紙載置方法に関する情報を取得することができる。このため、本発明により、大量の両面印刷を行なう場合のユーザの負担を軽減することができる。
【０００９】
このとき、前記両面印刷制御手段は、表面印刷時に、処理対象の表面ページの印刷を部数分印刷すると、処理対象の表面ページの印刷が終了した旨の情報を前記表示手段に表示することが望ましい。これにより、ユーザは、同一の表面ページが印刷された印刷用紙の束を、他のページの束と混ざらないように保管することができる。
【００１０】
上記課題を解決するため、本発明の第２の態様である印刷装置は、表面印刷済の用紙を排紙口から排紙し、給紙台から再給紙した用紙に裏面印刷することで両面印刷を行なう印刷装置であって、記憶手段と、表示手段と、印刷データとともに、部数単位で複数部数の両面印刷を行なう指示を受け付けるページ単位両面印刷ジョブ受付手段と、表面印刷時に、各ページを順次処理対象とし、表面のページであれば対応する印刷データのサムネイル画像を生成して前記記憶手段に記憶するとともに前記印刷データに基づく印刷を行ない、裏面のページであれば対応する印刷データを前記記憶手段に記憶する処理を部数分繰り返し、裏面印刷時に、各裏面ページを順次処理対象とし、前記記憶した処理対象の裏面ページの印刷データに基づく印刷する処理を各裏面ページ分繰り返す処理を部数分繰り返すとともに、各部の裏面印刷開始時および裏面印刷途中で用紙切れが発生した場合、あるいは、用紙毎に、処理対象である裏面ページに対応する表面ページのサムネイル画像と表面印刷済の用紙の前記排紙台への載置方向を示す情報を前記表示手段に表示する両面印刷制御手段とを備えることを特徴とする。
【００１１】
本発明によれば、各部の印刷開始時および裏面印刷途中で用紙切れが発生した場合に、処理対象である裏面ページに対応する表面ページのサムネイル画像と表面印刷済の用紙の前記排紙台への載置方向を示す情報とを前記表示手段に表示するため、ユーザは表面印刷済の用紙を給紙する際に常に用紙載置方法に関する情報を取得することができる。このため、本発明により、大量の両面印刷を行なう場合のユーザの負担を軽減することができる。
【００１２】
このとき、前記両面印刷制御手段は、表面印刷時に、処理対象の表面ページの印刷を１部数分印刷すると、１部数分の印刷が終了した旨を前記表示手段に表示することが望ましい。これにより、ユーザは、１部数分の印刷用紙の束を、他の部の束と混ざらないように保管することができる。
【００１３】
いずれの場合も、前記排紙口は、印刷済面を上にして排紙するフェイスアップ排紙口と、印刷済面を下にして排紙するフェイスダウン排紙口とが備えられていて、前記両面印刷制御手段は、前記排紙台から給紙された印刷用紙の下面に印刷が施される場合には前記フェイスアップ排紙口から表面印刷済の用紙の排紙を行ない、前記排紙台から給紙された印刷用紙の上面に印刷が施される場合には前記フェイスダウン排紙口から表面印刷済の用紙の排紙を行なうようにすることができる。これにより、ユーザは表面印刷済の印刷用紙をひっくり返すことなく給紙台に載置して裏面印刷を行なうことができるようになる。
【００１４】
また、前記表示手段に表示する前記表面印刷済の用紙の前記排紙台への載置方向を示す情報は、前記表面ページのサムネイル画像および前記排紙台を示す画像の対応する位置に所定のマークが付されたものとすることができる。
【００１５】
また、前記両面印刷制御手段は、前記排紙台から給紙された印刷用紙の上面に印刷が施される場合には前記表面ページのサムネイル画像を左右反転して前記表示手段に表示することができる。排紙台から給紙された印刷用紙の上面に印刷が施される場合には、印刷済面は下側になるため、左右反転して表示することでユーザが用紙の向きを分かりやすくなる。
【００１６】
また、前記裏面印刷は、前記表面印刷とは別個の新たな裏面印刷指示に基づいて開始することができる。すなわち、裏面の印刷データは記憶手段に記憶しているため、表面印刷とは切り離して行なうことができる。
【発明を実施するための最良の形態】
【００１７】
＜１．第１実施形態＞
＜１．１  構成＞
本発明の実施の形態について図面を参照して説明する。図１は、本発明の第1実施形態である印刷システム１の構成を示す図である。本図に示すように、印刷システム１は、印刷装置１０とＰＣ２０とを備えて構成される。ＰＣ２０は、汎用的なパーソナルコンピュータを用いることができ、印刷装置１０に対応したプリンタドライバプログラムがインストールさている。印刷装置１０はＰＣ２０から送られてきた印刷データに基づいて印刷を行なう。
【００１８】
印刷装置１０は、コントローラ１００、印刷エンジン１１０、操作パネル１２０、記憶装置１３０を備えており、給紙台１４０あるいは給紙トレイ１５０から給紙した印刷用紙に対して印刷エンジン１１０で印刷を行ない、フェイスアップ排紙口１６０あるいはフェイスダウン排紙口１７０から排紙を行なう。いずれの排紙口から排紙されるかは、コントローラ１００の制御に基づく切替機構１６２の状態よって定められる。図中の太線で示された用紙搬送経路には図示しないローラ等の搬送機構が備えられており、コントローラ１００の制御に基づいて印刷用紙の搬送を行なう。なお、印刷装置１０は、表裏反転機能を備えていないため、両面印刷を行なう場合には、表面印刷後に排紙された印刷用紙を、ユーザが再度給紙台にセットして裏面印刷を行なう必要がある。ただし、最初に印刷される面を表面と称している。
【００１９】
給紙台１４０は、手差しで給紙することが可能であり、両面印刷の際に、表面印刷済の印刷用紙の裏面印刷時の給紙台として用いられる。給紙台１４０から給紙された印刷用紙は搬送経路で上下反転されて印刷エンジン１１０に導かれる。このため、給紙台１４０では、印刷面を下にして印刷用紙をセットする。また、給紙台１４０には、複数枚の印刷用紙をセットすることが可能であるが、最大積載量が定められており、最大積載量を超えて印刷用紙をセットすることはできない。複数枚の印刷用紙が給紙台１４０にセットされた場合には、上の印刷用紙から順番に給紙される。
【００２０】
コントローラ１００は、ＣＰＵ、メモリ、画像処理装置、通信制御装置等を備えて構成され、印刷装置１０における各種処理の制御を行なう。印刷エンジン１１０は実際の印字処理を行なう。印刷エンジン１１０の印字方式は、レーザ方式、インクジェット方式、孔版方式等のいずれであってもよい。操作パネル１２０は、表示装置と操作ボタン等を備えており、例えば、タッチパネル式の液晶表示装置を用いることができる。記憶装置１３０は、ハートディスク等を用いることができ、印刷データ等を不揮発的に記憶する。
【００２１】
図２は、コントローラ１００に構成される機能部を示すブロック図である。本図に示すようにコントローラ１００には、印刷指示受付部１０１、画像処理部１０２、両面印刷制御部１０３、用紙搬送制御部１０４、通信処理部１０５が構成される。コントローラ１００のＣＰＵ、画像処理装置等はあらかじめ設定されたプログラム、論理回路等にしたがって動作することで本図に示すような機能部を実現する。
【００２２】
印刷指示受付部１０１は、印刷データや印刷処理に関する各種条件の設定を受け付ける。印刷条件はＰＣ２０から送られてくる印刷データに含まれる場合と、操作パネル１２０を介して受け付ける場合とがある。画像処理部１０２は、印刷データに基づいて画像処理を行ない、画像データを生成して印刷エンジン１１０に出力する。両面印刷制御部１０３は、両面印刷を行なう場合の印刷順設定、記憶装置１３０への印刷データ格納等の制御を行なう。また、ユーザに対する表面印刷済み印刷用紙の給紙台１４０へのセット方法の通知制御も行なう。用紙搬送制御部１０４は印刷用紙の搬送制御を行なう。通信処理部１０５は、ＰＣ２０との通信処理を制御する。
＜１．２  表面印刷処理＞
次に、第1実施形態における印刷装置１０の両面印刷処理について説明する。まず、表面印刷処理の概要を図３のフローチャートを参照して説明する。本処理は、印刷装置１０がＰＣ２０から両面印刷Ｊｏｂを受け付けることで開始される（Ｓ１０１）。両面印刷Ｊｏｂでは、印刷データ、ページ数、用紙サイズ等の基本的な情報に加え、部数と、部単位／ページ単位と、用紙方向（縦／横）とが設定されている。これらは、ＰＣ２０のプリンタドライバでユーザが任意に設定することができる。ここで、部単位印刷は、複数部数を印刷する場合に、ページ順の印刷を部数分繰り返す方式である。ページ単位印刷は、複数部数を印刷する場合に、同一ページを部数分まとめて印刷する方式である。例えば、３ページの書類を２部印刷する場合、Ｎページ目を「Ｎ」で表わすと、部単位印刷では、「１」「２」「３」「１」「２」「３」の順序で印刷し、ページ単位印刷では、「１」「１」「２」「２」「３」「３」の順序で印刷する。
【００２３】
印刷装置１０は、両面印刷Ｊｏｂを受信すると、両面印刷Ｊｏｂを識別するためのＪｏｂ番号を設定し、ページ数、部数、部単位／ページ単位、用紙方向（縦／横）等を含む印刷情報とともに記憶装置１３０に記録する（Ｓ１０２）。
【００２４】
印刷装置１０における両面印刷では、表面を印刷して排紙された後、表面印刷済みの印刷用紙を再度給紙して裏面を印刷する必要がある。第1実施形態の印刷装置の手差し用の給紙台１４０は、印刷面を下向きにして印刷用紙をセットする。すなわち、裏面印刷時には印刷済の表面を上向きにセットする。このため、表面印刷時にフェイスアップの状態で排紙されれば、裏面印刷時にユーザは印刷用紙の表裏をひっくり返すことなく給紙台１４０にセットすることができる。したがって、印刷装置１０の両面印刷制御部１０３は、フェイスアップ排紙口１６０を排紙口として設定する（Ｓ１０３）。もちろん、排紙口の指定・変更はユーザが独自に行なうこともできる。なお、給紙は、給紙台１４０、給紙トレイ１５０のいずれから行なってもよい。
【００２５】
そして、部単位印刷が設定されているかページ単位印刷が設定されているかを判別し（Ｓ１０４）、ページ単位印刷が設定されている場合にはページ単位印刷処理を行ない（Ｓ１０５）、部単位印刷が設定されている場合には部単位印刷処理を行なう（Ｓ１０６）。
＜１．２．１  ページ単位表面印刷処理＞
図４は、第1実施形態におけるページ単位印刷処理の表面印刷を説明するフローチャートである。まず、処理対象ページを示す変数ｉの初期値を１とする（Ｓ２０１）。すなわち、ページ順に処理を行なう。第1実施形態ではフェイスアップ排紙口１６０から排紙を行なうため、通常はページ逆順に処理を行なうが、ページ単位印刷では印刷結果がページ順に並ばないため、ページ順、ページ逆順のいずれで処理を行なってもよい。また、表面印刷の印刷順序はＰＣ２０のプリンタドライバが定めるようにしてもよい。
【００２６】
そして、変数ｉが奇数か偶数かを判別する（Ｓ２０２）。ここでは、奇数ページに対して表面印刷を行ない、偶数ページに対して裏面印刷を行なうものとする。その結果、奇数ページの場合（Ｓ２０２：Ｙｅｓ）、すなわち、処理対象のページが表面の場合は、処理対象となっているｉページのサムネイル画像を作成し、処理（Ｓ１０２）で記録した両面印刷Ｊｏｂの印刷情報に関連付けて記録する（Ｓ２０３）。この際に、ｉページのサムネイル画像であることを示す情報を付加しておく。
【００２７】
次いで、処理対象となっているｉページを印刷し（Ｓ２０４）、フェイスアップ排紙口１６０から排紙する（Ｓ２０５）。この印刷（Ｓ２０４）・排紙処理（Ｓ２０５）を部数分繰り返す（Ｓ２０６）。この結果、ｉページが部数分連続して印刷される。
【００２８】
ｉページの印刷（Ｓ２０４）・排紙処理（Ｓ２０５）を部数分繰り返すと（Ｓ２０６：Ｙｅｓ）、ｉページの印刷が終了したことをユーザに通知する（Ｓ２０７）。ユーザへの通知は、例えば、操作パネル１２０の表示画面、あるいはＰＣ２０のプリンタドライバを介して行なうことができる。これにより、ユーザは、ｉページの印刷が終了したことを知ることができ、例えば、ｉページが印刷された印刷用紙の束を、他のページの束と混ざらないように保管することができる。ただし、この通知は行なわなくてもよいし、また、行なうか行なわないかをユーザが設定できるようにしてもよい。通知の際には、一時的に印刷を中断し、ユーザからの再開指示に基づいて次の処理に移ることが望ましい。
【００２９】
一方、変数ｉが奇数か偶数かを判別した結果、偶数であった場合（Ｓ２０２：Ｎｏ）、すなわち、処理対象のページが裏面の場合には、印刷は行なわず、ｉページの印刷データを、処理（Ｓ１０２）で記録した両面印刷Ｊｏｂの印刷情報に関連付けて記録する（Ｓ２０８）。この際に、ｉページの印刷データであるという識別情報を付加しておく。
【００３０】
以上の処理を全ページに対して行なうと（Ｓ２０９：Ｙｅｓ）、表面の印刷処理が終了する。未処理のページがある場合（Ｓ２０９：Ｎｏ）には、ｉ＝ｉ＋１として（Ｓ２１０）、次ページに対する処理を行なう。
【００３１】
以上説明した第1実施形態におけるページ単位印刷処理の表面印刷を行なうと、図６に示すような印刷結果が得られる。本図では、２Ｐページの両面印刷物をＫ部印刷する場合を示している。本図に示すように、ページ単位印刷処理の表面印刷を行なうと、奇数ページ目が上面に印刷されたページ毎のＫ枚の印刷用紙の束がＰ個できることになる。なお、ユーザの指示等によりフェイスダウン排紙口１７０から排紙された場合には、ユーザは各用紙の束を反転させて図６に示すような状態とすることが望ましい。
＜１．２．２  部単位表面印刷処理＞
図５は、第1実施形態における部単位印刷処理の表面印刷を説明するフローチャートである。まず、処理対象ページを示す変数ｉの初期値を最終ページとする（Ｓ３０１）。すなわち、第1実施形態はフェイスアップ排紙口１６０から排紙を行なうため、印刷結果がページ順に並ぶ部単位印刷処理では、ページ逆順に処理を行なうようにする。ただし、表面印刷の印刷順序はＰＣ２０のプリンタドライバが定めるようにしてもよい。
【００３２】
そして、変数ｉが奇数か偶数かを判別する（Ｓ３０２）。ここでも、奇数ページに対して表面印刷を行ない、偶数ページに対して裏面印刷を行なうものとする。その結果、奇数ページの場合（Ｓ３０２：Ｙｅｓ）、すなわち、処理対象のページが表面の場合は、処理対象となっているｉページのサムネイル画像を作成し、処理（Ｓ１０２）で記録した両面印刷Ｊｏｂの印刷情報に関連付けて記録する（Ｓ３０３）。この際に、ｉページのサムネイル画像であるという識別情報を付加しておく。次いで、処理対象となっているｉページを印刷し（Ｓ３０４）、フェイスアップ排紙口１６０から排紙する（Ｓ３０５）。
【００３３】
一方、変数ｉが奇数か偶数かを判別した結果、偶数であった場合（Ｓ３０２：Ｎｏ）、すなわち、処理対象のページが裏面の場合には、印刷は行なわず、ｉページの印刷データを、処理（Ｓ１０２）で記録した両面印刷Ｊｏｂの印刷情報に関連付けて記録する（Ｓ３０６）。この際に、ｉページの印刷データであるという識別情報を付加しておく。
【００３４】
以上の処理を全ページに対して行なったかどうかを判断し（Ｓ３０７）、未処理のページがある場合（Ｓ３０７：Ｎｏ）には、ｉ＝ｉ−１として（Ｓ３０８）、前ページに対する同様の処理を行なう。
【００３５】
全ページに対して処理を行なった場合（Ｓ３０７：Ｙｅｓ）は、１部数分の印刷が終了したことをユーザに通知する（Ｓ３０９）。ユーザへの通知は、例えば、操作パネル１２０の表示画面、あるいはＰＣ２０のプリンタドライバを介して行なうことができる。これにより、ユーザは、１部数分の印刷が終了したことを知ることができ、例えば、１部数分が印刷された印刷用紙の束を、他の部の束と混ざらないように保管することができる。ただし、この通知は行なわなくてもよいし、また、行なうか行なわないかをユーザが設定できるようにしてもよい。通知の際には、一時的に印刷を中断し、ユーザからの再開指示に基づいて次の処理に移ることが望ましい。
【００３６】
以上の処理を全部数分行なうと（Ｓ３１０：Ｙｅｓ）、表面の印刷処理が終了する。全部数分の印刷が終了していない場合（Ｓ３１０：Ｎｏ）には、１部数分の処理を繰り返し行なう。
【００３７】
以上説明した第1実施形態における部数単位印刷処理の表面印刷を行なうと、図７に示すような印刷結果が得られる。本図では、２Ｐページの両面印刷物をＫ部印刷する場合を示している。本図に示すように、部数単位印刷処理の表面印刷を行なうと、１ページから２Ｐ−１ページまで奇数ページが上から順番に上面に印刷された部単位のＰ枚の印刷用紙の束がＫ個できることになる。なお、ユーザの指示等によりフェイスダウン排紙口１７０から排紙された場合には、ユーザは各用紙の束を反転させて図７に示すような状態とすることが望ましい。
＜１．３  裏面印刷処理＞
次に、第１実施形態における印刷装置１０の裏面印刷処理の概要を図８のフローチャートを参照して説明する。本処理は、印刷装置１０の操作パネル１２０を介して、ユーザから裏面印刷の指示を受け付けることで開始される（Ｓ４０１）。すなわち、裏面印刷は表面印刷と連続して行なう必要なく、表面印刷とは別個の処理として行なうことができる。裏面印刷指示受付の際には、裏面印刷の対象となる両面印刷Ｊｏｂを識別するための情報、例えば、Ｊｏｂ番号の指定も受け付ける。印刷装置１０は、両面印刷Ｊｏｂをユーザが指定しやすいように、記憶装置１３０に記憶している各両面印刷Ｊｏｂの１ページ目のサムネイル画像を表示したり、表面印刷日時等の印刷情報を表示したりすることが望ましい。
【００３８】
両面印刷Ｊｏｂの指定を受け付けると、記憶装置１３０に記録されているその両面印刷Ｊｏｂの印刷情報を呼び出す（Ｓ４０２）。印刷情報には、部数、部単位／ページ単位、用紙方向（縦／横）等に関する情報が含まれている。
【００３９】
そして、印刷情報に基づいて表面が部単位で印刷されているかページ単位で印刷されているかを判別し（Ｓ４０３）、ページ単位で印刷されている場合にはページ単位裏面印刷処理を行ない（Ｓ４０４）、部単位印刷が設定されている場合には部単位裏面印刷処理を行なう（Ｓ４０５）。
＜１．３．１  ページ単位裏面印刷処理＞
図９は、第1実施形態におけるページ単位印刷処理の裏面印刷を説明するフローチャートである。まず、処理対象ページを示す変数ｉの初期値を、最初の偶数ページである２とする（Ｓ５０１）。ただし、ページ単位印刷では印刷結果がページ順に並ばないため、ページ順、ページ逆順のいずれで処理を行なってもよい。
【００４０】
そして、ｉページの用紙のセット方法を操作パネル１２０の表示画面に表示する（Ｓ５０２）。図１１は、表示画面１２０ａに表示される用紙のセット方法の一例を示している。本図の例では、用紙のセット方法の表示として、印刷対象となる裏面ページ（Ｎページとする）に対応する表面ページ（Ｍページとする）のサムネイル画像を表示する領域１２１と、印刷済面を上向きにセットするか、印刷済面を下向きにセットするかを示す領域１２３と、印刷用紙をセットする向きを示す領域１２４と、用紙のセット方法を説明する領域１２５が表示画面１２０ａ内に設けられている。
【００４１】
ここで、表面のサムネイル画像１２１は、表面印刷時に作成されたｉ−１ページのサムネイル画像を記憶装置１３０から読み出して表示することができる。このとき、画像の１隅、例えば、左上隅に方向のガイドとなるマーク、例えば、★印を付して表示するようにする。また、表面の印刷内容を確認できるように、サムネイル画像を拡大するためのボタン１２２が設けられている。
【００４２】
第1実施形態の印刷装置１０の手差し用の給紙台１４０は、印刷面を下向きにして印刷用紙をセットする。すなわち、印刷済の表面を上向きにセットする。したがって、領域１２３には、印刷済面を上向きにセットする旨が表示される。本例では、領域１２３には、用紙が乗せられた給紙台１４０を横方向から見た図が表示され、用紙の上面が強調されることによって、印刷済面を上向きにすることが示されている。
【００４３】
印刷用紙をセットする向きは、領域１２４に、サムネイル画像に付されたマークを給紙台１４０のどこに合わせるかを表示することで示している。本例では印刷用紙が載せられた給紙台１４０を上側から見た図の印刷用紙の左上に★印を付すことで、サムネイル画像に付された★印の位置を合わせるような向きでセットすることが示されている。なお、領域１２４において★印を付す位置は、印刷用紙の縦横方向、印刷エンジン１１０の仕様等に基づいて適切に設定するものとする。
【００４４】
領域１２５には、以上の内容がコメントで示されている。なお、領域１２５に記載されているように、ユーザは給紙台１４０に複数枚の表面印刷済の用紙をセットすることができる。例えば、表面印刷終了後には、図６に示すように同一のページについてＫ枚重ねられた状態にある。これらはフェイスアップ排紙口１６０から排紙されているために印刷済面が上になっている。このためユーザは、重ねられたＫ枚の印刷用紙の束から、給紙台１４０の最大積載量の範囲内で任意の枚数を上からまとめて取り、ひっくり返すことなく、領域１２４に示される方向で、一斉に給紙台１４０にセットすることができる。給紙台１４０にセットされた用紙は上から順番に給紙される。
【００４５】
ユーザは印刷用紙をセットすると操作パネル１２０の操作により裏面印刷の開始を指示することができる。印刷装置１０は、裏面印刷の開始指示を受け付けると（Ｓ５０３：Ｙｅｓ）、給紙台１４０に用紙がセットされていること、すなわち用紙切れでないことを確認して（Ｓ５０４：Ｙｅｓ）、ｉページの印刷データを記憶装置１３０から読み出してｉページの裏面印刷を行なう（Ｓ５０５）。この場合、排紙口はフェイスアップ排紙口１６０、フェイスダウン排紙口１７０のいずれであってもよい。以上のｉページの裏面印刷処理を、部数分繰り返す（Ｓ５０６：Ｎｏ）。部数分繰り返したかどうかは、読み出した印刷情報に含まれる表面の印刷部数を参照することで判断することができる。
【００４６】
ところで、Ｋ枚が給紙台１４０の最大積載量を超えている場合には、複数回に分けて給紙台１４０に乗せることになる。このため、ｉページの印刷の途中で用紙切れが発生する場合がある（Ｓ５０４：Ｙｅｓ）。用紙切れが発生すると、表面印刷済の用紙を再度セットする必要があるため、ｉページの用紙のセット方法を操作パネル１２０の表示画面に表示して（Ｓ５０２）、裏面印刷再開の指示を待つ（Ｓ５０３）。ユーザは、対象ページの束の残りから、給紙台１４０の最大積載量の範囲内で任意の枚数を上からまとめて取り、ひっくり返すことなく、領域１２４に示される方向で、一斉に給紙台１４０にセットすることができる。
【００４７】
ｉページの裏面印刷を全部数分繰り返すと（Ｓ５０６：Ｙｅｓ）、全裏ページの印刷が終了したかどうかを判断する（Ｓ５０７）。全裏面ページの印刷が終了したかどうかは、読み出した印刷情報に含まれる表面のページ数を参照することで判断することができる。
【００４８】
未処理のページがある場合（Ｓ５０７：Ｎｏ）には、ｉ＝ｉ＋２として（Ｓ５０８）、次偶数ページに対する裏面印刷処理を行なう。全裏ページの印刷が終了した場合（Ｓ５０７：Ｙｅｓ）は本処理を終了する。
【００４９】
なお、上記の例では、用紙切れが発生した場合（Ｓ５０４：Ｙｅｓ）、および、ページが切り替わる場合（Ｓ５０７：Ｎｏ）に、用紙のセット方法を操作パネル１２０の表示画面に表示する（Ｓ５０２）ようにしていた。しかしながら、ユーザの指示に基づいて、１枚印刷する毎に用紙のセット方法を操作パネル１２０の表示画面に表示するようにしてもよい。これは、例えば、ページ単位で表面を印刷して保管しておいた束から用紙が抜かれていたり、一部で順番が入れ替わってしまった可能性がある場合に、１枚毎に用紙を確認しながら印刷を行なうことができるため特に有効である。
＜１．３．２  部単位裏面印刷処理＞
図１０は、第1実施形態における部単位印刷処理の裏面印刷を説明するフローチャートである。まず、処理対象ページを示す変数ｉの初期値を、最初の偶数ページである２とする（Ｓ６０１）。図７に示したように印刷済の用紙は表面を上側にしてページ順に重ねられているため、裏面印刷はページ順に処理を行なう。
【００５０】
そして、ｉページの用紙のセット方法を操作パネル１２０の表示画面に表示する（Ｓ６０２）。表示画面に表示される用紙のセット方法は、図１１に示したようにページ単位印刷処理の裏面印刷時と同様とすることができる。
【００５１】
ページ単位印刷処理の裏面印刷と同様に、ユーザは給紙台１４０に複数枚の表面印刷済の用紙をセットすることができる。例えば、表面印刷終了後には、図７に示すようにページ順にＰ枚重ねられた状態にある。これらはフェイスアップ排紙口１６０から排紙されているために印刷済面が上になっている。このためユーザは、重ねられたＰ枚の印刷用紙の束から、給紙台１４０の最大積載量の範囲内で任意の枚数を上からページ順にまとめて取り、ひっくり返すことなく、領域１２４に示される方向で、一斉に給紙台１４０にセットすることができる。給紙台１４０にセットされた用紙は上から順番に、すなわちページ順に給紙される。
【００５２】
ユーザは印刷用紙をセットすると操作パネル１２０の操作により裏面印刷の開始を指示することができる。印刷装置１０は、裏面印刷の開始指示を受け付けると（Ｓ６０３：Ｙｅｓ）、給紙台１４０に用紙がセットされていること、すなわち用紙切れでないことを確認して（Ｓ６０４：Ｙｅｓ）、ｉページの印刷データを記憶装置１３０から読み出してｉページの裏面印刷を行なう（Ｓ６０５）。この場合、排紙口はフェイスアップ排紙口１６０、フェイスダウン排紙口１７０のいずれであってもよい。
【００５３】
ｉページの裏面印刷を行なうと、全裏ページの印刷が終了したかどうかを判断する（Ｓ６０６）。全裏面ページの印刷が終了したかどうかは、読み出した印刷情報に含まれる表面のページ数を参照することで判断することができる。
【００５４】
未処理のページがある場合（Ｓ６０６：Ｎｏ）には、ｉ＝ｉ＋２として（Ｓ６０７）、次偶数ページに対する裏面印刷処理を行なう。用紙切れでなく連続して印刷する場合には、ページ毎の用紙セット方法の表示は行なわない。ユーザはページ毎に用紙セットの方法を確認したい場合には１枚ずつ給紙台１４０にセットすればよい。
【００５５】
部数印刷の途中で用紙切れが発生すると（Ｓ６０４：Ｙｅｓ）、表面印刷済の用紙を再度セットする必要があるため、印刷対象となっているｉページの用紙のセット方法を操作パネル１２０の表示画面に表示して（Ｓ６０２）、裏面印刷再開の指示を待つ（Ｓ６０３）。ユーザは、対象部数の束の残りから、給紙台１４０の最大積載量の範囲内で任意の枚数を上からまとめて取り、ひっくり返すことなく、領域１２４に示される方向で、一斉に給紙台１４０にセットすることができる。
【００５６】
以上の処理を全部数分行なうと（Ｓ６０８：Ｙｅｓ）、裏面の印刷処理が終了する。全部数分の印刷が終了していない場合（Ｓ６０８：Ｎｏ）には、上記の１部数分の処理を繰り返し行なう。
【００５７】
なお、上記の例では、用紙切れが発生した場合（Ｓ６０４：Ｙｅｓ）、および、部の印刷開始時（Ｓ６０８：Ｎｏ）に、用紙のセット方法を操作パネル１２０の表示画面に表示する（Ｓ６０２）ようにしていた。しかしながら、ユーザの指示に基づいて、１枚印刷する毎に用紙のセット方法を操作パネル１２０の表示画面に表示するようにしてもよい。これは、例えば、部数単位で表面を印刷して保管しておいた束から用紙が抜かれていたり、一部で順番が入れ替わってしまった可能性がある場合に、１枚毎に用紙を確認しながら印刷を行なうことができるため特に有効である。
＜２．第２実施形態＞
＜２．１  構成＞
次に本発明の第２実施形態について図面を参照して説明する。第１実施形態と同様の機能部については同じ符号を付して、説明は簡略化する。図１２は、本発明の第２実施形態である印刷システム２の構成を示す図である。本図に示すように、印刷システム２は、印刷装置３０とＰＣ２０とを備えて構成される。ＰＣ２０は、第１実施形態と同様に汎用的なパーソナルコンピュータを用いることができ、印刷装置１０に対応したプリンタドライバプログラムがインストールさている。印刷装置３０はＰＣ２０から送られてきた印刷データに基づいて印刷を行なう。
【００５８】
印刷装置３０は、コントローラ１００、印刷エンジン１１０、操作パネル１２０、記憶装置１３０を備えており、給紙台１８０あるいは給紙トレイ１５０から給紙した印刷用紙に対して印刷エンジン１１０で印刷を行ない、フェイスアップ排紙口１６０あるいはフェイスダウン排紙口１７０から排紙を行なう。実施形態１との違いは給紙台１４０に代えて給紙台１８０が備えられている点である。
【００５９】
給紙台１８０は、手差しで給紙することが可能であり、両面印刷の際に、表面印刷済の印刷用紙の裏面印刷時の給紙台として用いられる。給紙台１８０から給紙された印刷用紙はそのままの向きで搬送されて印刷エンジン１１０に導かれる。このため、給紙台１８０では、印刷面を上にして印刷用紙をセットする。また、給紙台１８０には、複数枚の印刷用紙をセットすることが可能であるが、最大積載量が定められており、最大積載量を超えて印刷用紙をセットすることはできない。複数枚の印刷用紙がセットされた場合には、上の印刷用紙から順番に給紙される。
＜２．２  表面印刷処理＞
次に、第２実施形態における印刷装置３０の両面印刷処理について説明する。まず、表面印刷処理の概要を図１３のフローチャートを参照して説明する。本処理は、印刷装置３０がＰＣ２０から両面印刷Ｊｏｂを受け付けることで開始される（Ｓ７０１）。両面印刷Ｊｏｂでは、印刷データ、ページ数、用紙サイズ等の基本的な情報に加え、部数と、部単位／ページ単位と、用紙方向（縦／横）とが設定されている。これらは、ＰＣ２０のプリンタドライバでユーザが任意に設定することができる。
【００６０】
印刷装置３０は、両面印刷Ｊｏｂを受信すると、両面印刷Ｊｏｂを識別するためのＪｏｂ番号を設定し、ページ数、部数、部単位／ページ単位、用紙方向（縦／横）等を含む印刷情報とともに記憶装置１３０に記録する（Ｓ７０２）。
【００６１】
印刷装置３０における両面印刷では、表面を印刷して排紙された後、表面印刷済みの印刷用紙を再度給紙して裏面を印刷する必要がある。第２実施形態の印刷装置の手差し用の給紙台１８０は、印刷面を上向きにして印刷用紙をセットする。すなわち、裏面印刷時には印刷済の表面を下向きにセットする。このため、表面印刷時にフェイスダウンの状態で排紙されれば、裏面印刷時にユーザは印刷用紙の表裏をひっくり返すことなく給紙台１８０にセットすることができる。したがって、印刷装置３０の両面印刷制御部１０３は、フェイスダウン排紙口１７０を表面の排紙口として設定する（Ｓ７０３）。もちろん、排紙口の指定・変更はユーザが独自に行なうこともできる。なお、給紙は、給紙台１８０、給紙トレイ１５０のいずれから行なってもよい。
【００６２】
そして、部単位印刷が設定されているかページ単位印刷が設定されているかを判別し（Ｓ７０４）、ページ単位印刷が設定されている場合にはページ単位印刷処理を行ない（Ｓ７０５）、部単位印刷が設定されている場合には部単位印刷処理を行なう（Ｓ７０６）。
＜２．２．１  ページ単位表面印刷処理＞
図１４は、第２実施形態におけるページ単位印刷処理の表面印刷を説明するフローチャートである。第１実施形態におけるページ単位印刷処理の表面印刷との相違点はフェイスアップ排紙に代えてフェイスダウン排紙を行なう点と、印刷結果の状態だけであるので簡単に説明する。まず、処理対象ページを示す変数ｉの初期値を１とする（Ｓ８０１）。すなわち、ページ順に処理を行なう。ただし、ページ単位印刷では印刷結果がページ順に並ばないため、ページ順、ページ逆順のいずれで処理を行なってもよい。また、表面印刷の印刷順序はＰＣ２０のプリンタドライバが定めるようにしてもよい。
【００６３】
そして、変数ｉが奇数か偶数かを判別する（Ｓ８０２）。その結果、奇数ページの場合（Ｓ８０２：Ｙｅｓ）は、処理対象となっているｉページのサムネイル画像を作成し、処理（Ｓ７０２）で記録した両面印刷Ｊｏｂの印刷情報に関連付けて記録する（Ｓ８０３）。この際に、ｉページのサムネイル画像であることを示す情報を付加しておく。
【００６４】
次いで、処理対象となっているｉページを印刷し（Ｓ８０４）、フェイスダウン排紙口１７０から排紙する（Ｓ８０５）。この印刷（Ｓ８０４）・排紙処理（Ｓ８０５）を部数分繰り返す（Ｓ８０６）。この結果、ｉページが部数分連続して印刷される。ｉページの印刷（Ｓ８０４）・排紙処理（Ｓ８０５）を部数分繰り返すと（Ｓ８０６：Ｙｅｓ）、ｉページの印刷が終了したことをユーザに通知する（Ｓ８０７）。
【００６５】
一方、変数ｉが奇数か偶数かを判別した結果、偶数であった場合（Ｓ８０２：Ｎｏ）は、印刷は行なわず、ｉページの印刷データを、処理（Ｓ７０２）で記録した両面印刷Ｊｏｂの印刷情報に関連付けて記録する（Ｓ８０８）。この際に、ｉページの印刷データであるという識別情報を付加しておく。
【００６６】
以上の処理を全ページに対して行なうと（Ｓ８０９：Ｙｅｓ）、表面の印刷処理が終了する。未処理のページがある場合（Ｓ８０９：Ｎｏ）には、ｉ＝ｉ＋１として（Ｓ８１０）、次ページに対する処理を行なう。
【００６７】
以上説明した第２実施形態におけるページ単位印刷処理の表面印刷を行なうと、図１６に示すような印刷結果が得られる。本図では、２Ｐページの両面印刷物をＫ部印刷する場合を示している。本図で左右反転の数字は、印刷用紙の下面に印刷されていることを表わしている。本図に示すように、ページ単位印刷処理の表面印刷を行なうと、奇数ページ目が下面に印刷されたページ毎のＫ枚の印刷用紙の束がＰ個できることになる。なお、ユーザの指示等によりフェイスダウン排紙口１７０から排紙された場合には、ユーザは各用紙の束を反転させて図１６に示すような状態とすることが望ましい。
＜２．２．２  部単位表面印刷処理＞
図１５は、第２実施形態における部単位印刷処理の表面印刷を説明するフローチャートである。まず、処理対象ページを示す変数ｉの初期値を１とする（Ｓ９０１）。すなわち、第２実施形態はフェイスダウン排紙口１７０から排紙を行なうため、印刷結果がページ順に並ぶ部単位印刷処理では、ページ順に処理を行なうようにする。ただし、表面印刷の印刷順序はＰＣ２０のプリンタドライバが定めるようにしてもよい。
【００６８】
そして、変数ｉが奇数か偶数かを判別する（Ｓ９０２）。その結果、奇数ページの場合（Ｓ９０２：Ｙｅｓ）は、処理対象となっているｉページのサムネイル画像を作成し、処理（Ｓ７０２）で記録した両面印刷Ｊｏｂの印刷情報に関連付けて記録する（Ｓ９０３）。この際に、ｉページのサムネイル画像であるという識別情報を付加しておく。次いで、処理対象となっているｉページを印刷し（Ｓ９０４）、フェイスダウン排紙口１７０から排紙する（Ｓ９０５）。
【００６９】
一方、変数ｉが奇数か偶数かを判別した結果、偶数であった場合（Ｓ９０２：Ｎｏ）は、印刷は行なわず、ｉページの印刷データを、処理（Ｓ７０２）で記録した両面印刷Ｊｏｂの印刷情報に関連付けて記録する（Ｓ９０６）。この際に、ｉページの印刷データであるという識別情報を付加しておく。
【００７０】
以上の処理を全ページに対して行なったかどうかを判断し（Ｓ９０７）、未処理のページがある場合（Ｓ９０７：Ｎｏ）には、ｉ＝ｉ＋１として（Ｓ９０８）、次ページに対する同様の処理を行なう。全ページに対して処理を行なった場合（Ｓ９０７：Ｙｅｓ）は、１部数分の印刷が終了したことをユーザに通知する（Ｓ９０９）。
【００７１】
以上の処理を全部数分行なうと（Ｓ９１０：Ｙｅｓ）、表面の印刷処理が終了する。全部数分の印刷が終了していない場合（Ｓ９１０：Ｎｏ）には、１部数分の処理を繰り返し行なう。
【００７２】
以上説明した第２実施形態における部数単位印刷処理の表面印刷を行なうと、図１７に示すような印刷結果が得られる。本図では、２Ｐページの両面印刷物をＫ部印刷する場合を示している。本図に示すように、部数単位印刷処理の表面印刷を行なうと、１ページから２Ｐ−１ページまで奇数ページが上から逆順で下面に印刷された部単位のＰ枚の印刷用紙の束がＫ個できることになる。なお、ユーザの指示等によりフェイスダウン排紙口１７０から排紙された場合には、ユーザは各用紙の束を反転させて図１７に示すような状態とすることが望ましい。
＜２．３  裏面印刷処理＞
第２実施形態の印刷装置３０の裏面印刷処理の概要は、図８を参照して説明した第１実施形態と同様とすることができる。
＜２．３．１  ページ単位裏面印刷処理＞
また、第２実施形態におけるページ単位印刷処理の裏面印刷は、図９を参照して説明した第１実施形態と同様とすることができる。
【００７３】
ただし、処理（Ｓ５０２）におけるｉページの用紙のセット方法の操作パネル１２０への表示方法が第１実施形態と第２実施形態とで異なる。このため、第２実施形態におけるｉページの用紙のセット方法の表示について図１９を参照して説明する。本図の例では、用紙のセット方法の表示として、印刷対象となる裏面ページ（Ｎページとする）に対応する表面ページ（Ｍページとする）のサムネイル画像を表示する領域１２１と、印刷済面を上向きにセットするか、印刷済面を下向きにセットするかを示す領域１２３と、印刷用紙をセットする向きを示す領域１２４と、用紙のセット方法を説明する領域１２５が表示画面１２０ｂ内に設けられている。
【００７４】
ここで、表面のサムネイル画像１２１は、表面印刷時に作成されたｉ−１ページのサムネイル画像を記憶装置１３０から読み出して表示することができる。このとき、画像の１隅、例えば、左上隅に方向のガイドとなるマーク、例えば、★印を付して表示するようにする。また、表面の印刷内容を確認できるように、サムネイル画像を拡大するためのボタン１２２が設けられている。
【００７５】
第２実施形態の印刷装置３０の手差し用の給紙台１８０は、印刷面を上向きにして印刷用紙をセットする。すなわち、印刷済の表面を下向きにセットする。したがって、領域１２３には、印刷済面を下向きにセットする旨が表示される。本例では、領域１２３には、用紙が乗せられた給紙台１８０を横方向から見た図が表示され、用紙の下面が強調されることによって、印刷済面を下向きにすることが示されている。
【００７６】
印刷用紙をセットする向きは、領域１２４に、サムネイル画像に付されたマークを給紙台１８０のどこに合わせるかを表示することで示している。本例では印刷用紙が載せられた給紙台１８０を上側から見た図の印刷用紙の右上に★印を付すことで、サムネイル画像１２１に付された★印の位置を、印刷面を下面にした状態で合わせるような向きでセットすることが示されている。なお、領域１２４において★印を付す位置は、印刷用紙の縦横方向、印刷エンジン１１０の仕様等に基づいて適切に設定するものとする。
【００７７】
領域１２５には、以上の内容がコメントで示されている。なお、領域１２５に記載されているように、ユーザは給紙台１８０に複数枚の表面印刷済の用紙をセットすることができる。例えば、表面印刷終了後には、図１６に示すように同一のページについてＫ枚重ねられた状態にある。これらはフェイスダウン排紙口１７０から排紙されているために印刷済面が下になっている。このためユーザは、重ねられたＫ枚の印刷用紙の束から、給紙台１８０の最大積載量の範囲内で任意の枚数を上からまとめて取り、ひっくり返すことなく、領域１２４に示される方向で、一斉に給紙台１８０にセットすることができる。給紙台１８０にセットされた用紙は上から順番に給紙される。
【００７８】
なお、第２実施形態では、印刷済面を下向きにしてセットする。すなわち、印刷済の表面は実際には見えないことになる。このため、サムネイル画像の表示を裏側から見たように左右反転させることで、印刷済面が下向きであることを強調するようにしてもよい。図２０は、サムネイル画像１２１を左右反転させた表示画面１２０ｃの例を示している。
＜２．３．２  部単位裏面印刷処理＞
次に、第２実施形態における部単位印刷処理の裏面印刷について図１８のフローチャートを参照して説明する。まず、処理対象ページを示す変数ｉの初期値を、最終偶数ページとする（Ｓ１００１）。図１７に示したように印刷済の用紙は表面を下側にして上からページ逆順に重ねられているため、裏面印刷はページ逆順に処理を行なう。
【００７９】
そして、ｉページの用紙のセット方法を操作パネル１２０の表示画面に表示する（Ｓ１００２）。表示画面に表示される用紙のセット方法は、図１９あるいは図２０に示したようにページ単位印刷処理の裏面印刷時と同様とすることができる。
【００８０】
ページ単位印刷処理の裏面印刷と同様に、ユーザは給紙台１８０に複数枚の表面印刷済の用紙をセットすることができる。例えば、表面印刷終了後には、図１７に示すようにページ逆順にＰ枚重ねられた状態にある。これらはフェイスダウン排紙口１７０から排紙されているために印刷済面が下になっている。このためユーザは、重ねられたＰ枚の印刷用紙の束から、給紙台１４０の最大積載量の範囲内で任意の枚数を上からページ逆順にまとめて取り、ひっくり返すことなく、領域１２４に示される方向で、一斉に給紙台１８０にセットすることができる。給紙台１８０にセットされた用紙は上から順番に、すなわち、ページ逆順に給紙される。
【００８１】
ユーザは印刷用紙をセットすると操作パネル１２０の操作により裏面印刷の開始を指示することができる。印刷装置３０は、裏面印刷の開始指示を受け付けると（Ｓ１００３：Ｙｅｓ）、給紙台１８０に用紙がセットされていること、すなわち用紙切れでないことを確認して（Ｓ１００４：Ｙｅｓ）、ｉページの印刷データを記憶装置１３０から読み出してｉページの裏面印刷を行なう（Ｓ１００５）。この場合、排紙口はフェイスアップ排紙口１６０、フェイスダウン排紙口１７０のいずれであってもよい。
【００８２】
ｉページの裏面印刷を行なうと、全裏ページの印刷が終了したかどうかを判断する（Ｓ１００６）。全裏面ページの印刷が終了したかどうかは、読み出した印刷情報に含まれる表面のページ数を参照することで判断することができる。
【００８３】
未処理のページがある場合（Ｓ１００６：Ｎｏ）には、ｉ＝ｉ−２として（Ｓ１００７）、前偶数ページに対する裏面印刷処理を行なう。用紙切れでなく連続して印刷する場合には、ページ毎の用紙セット方法の表示は行なわない。ユーザはページ毎に用紙セットの方法を確認したい場合には１枚ずつ給紙台１８０にセットすればよい。
【００８４】
部数印刷の途中で用紙切れが発生すると（Ｓ１００４：Ｙｅｓ）、表面印刷済の用紙を再度セットする必要があるため、印刷対象となっているｉページの用紙のセット方法を操作パネル１２０の表示画面に表示して（Ｓ１００２）、裏面印刷再開の指示を待つ（Ｓ１００３）。ユーザは、対象部数の束の残りから、給紙台１８０の最大積載量の範囲内で任意の枚数を上からまとめて取り、ひっくり返すことなく、領域１２４に示される方向で、一斉に給紙台１８０にセットすることができる。
【００８５】
以上の処理を全部数分行なうと（Ｓ１００８：Ｙｅｓ）、裏面の印刷処理が終了する。全部数分の印刷が終了していない場合（Ｓ１００８：Ｎｏ）には、上記の１部数分の処理を繰り返し行なう。
【００８６】
なお、上記の例では、用紙切れが発生した場合（Ｓ１００４：Ｙｅｓ）、および、部の印刷開始時（Ｓ１００８：Ｎｏ）に、用紙のセット方法を操作パネル１２０の表示画面に表示する（Ｓ１００２）ようにしていた。しかしながら、ユーザの指示に基づいて、１枚印刷する毎に用紙のセット方法を操作パネル１２０の表示画面に表示するようにしてもよい。これは、例えば、部数単位で表面を印刷して保管しておいた束から用紙が抜かれていたり、一部で順番が入れ替わってしまった可能性がある場合に、１枚毎に用紙を確認しながら印刷を行なうことができるため特に有効である。
【図面の簡単な説明】
【００８７】
【図１】本発明の第1実施形態である印刷システムの構成を示す図である。
【図２】コントローラに構成される機能部を示すブロック図である。
【図３】第1実施形態における表面印刷処理の概要を説明するフローチャートである。
【図４】第1実施形態におけるページ単位印刷処理の表面印刷を説明するフローチャートである。
【図５】第1実施形態における部単位印刷処理の表面印刷を説明するフローチャートである。
【図６】第1実施形態におけるページ単位印刷処理の表面印刷の結果を示す図である。
【図７】第1実施形態における部単位印刷処理の表面印刷の結果を示す図である。
【図８】裏面印刷処理の概要を説明するフローチャートである。
【図９】第1実施形態におけるページ単位印刷処理の裏面印刷を説明するフローチャートである。
【図１０】第1実施形態における部単位印刷処理の裏面印刷を説明するフローチャートである。
【図１１】表示画面に表示される用紙のセット方法の一例を示す図である。
【図１２】本発明の第２実施形態である印刷システムの構成を示す図である。
【図１３】第２実施形態における表面印刷処理の概要を説明するフローチャートである。
【図１４】第２実施形態におけるページ単位印刷処理の表面印刷の結果を示す図である。
【図１５】第２実施形態における部単位印刷処理の表面印刷を説明するフローチャートである。
【図１６】第２実施形態におけるページ単位印刷処理の表面印刷の結果を示す図である。
【図１７】第２実施形態における部単位印刷処理の表面印刷の結果を示す図である。
【図１８】第２実施形態における部単位印刷処理の裏面印刷を説明するフローチャートである。
【図１９】表示画面に表示される用紙のセット方法の一例を示す図である。
【図２０】表示画面に表示される用紙のセット方法の別例を示す図である。
【符号の説明】
【００８８】
１…印刷システム、２…印刷システム、１０…印刷装置、２０…ＰＣ、３０…印刷装置、１００…コントローラ、１０１…印刷指示受付部、１０２…画像処理部、１０３…両面印刷制御部、１０４…用紙搬送制御部、１０５…通信処理部、１１０…印刷エンジン、１２０…操作パネル、１２０ａ…表示画面、１２０ｂ…表示画面、１２０ｃ…表示画面、１３０…記憶装置、１４０…給紙台、１５０…給紙トレイ、１６０…フェイスアップ排紙口、１６２…切替機構、１７０…フェイスダウン排紙口、１８０…給紙台
【図１】
2009248375.tif 000003
【図２】
2009248375.tif 000004
【図３】
2009248375.tif 000005
【図４】
2009248375.tif 000006
【図５】
2009248375.tif 000007
【図６】
2009248375.tif 000008
【図７】
2009248375.tif 000009
【図８】
2009248375.tif 000010
【図９】
2009248375.tif 000011
【図１０】
2009248375.tif 000012
【図１１】
2009248375.tif 000013
【図１２】
2009248375.tif 000014
【図１３】
2009248375.tif 000015
【図１４】
2009248375.tif 000016
【図１５】
2009248375.tif 000017
【図１６】
2009248375.tif 000018
【図１７】
2009248375.tif 000019
【図１８】
2009248375.tif 000020
【図１９】
2009248375.tif 000021
【図２０】
2009248375.tif 000022